(57)【特許請求の範囲】
【請求項１】
容器本体上部に内容物を吸上げるポンプを装着し、容器本体内部に内容物の減少に伴って上昇する摺動底板を備えた注出容器であって、
内容物として、不透明なものを収納し、
容器本体の胴壁を透明の合成樹脂で形成し、胴壁に、裏面に装飾を施したラベルを取着し、
内容物の使用により、容器本体内部の摺動底板を上昇させ、容器外部から容器本体内の摺動底板から下方部のラベルの裏面装飾をポンプの操作による摺動底板の上昇に応じて、下方から徐々に視認できることを特徴とする注出容器。
【請求項２】
ラベルが、容器本体の胴壁にインサート成形で一体化されて取着されていることを特徴とする請求項１記載の注出容器。
【発明の詳細な説明】
【技術分野】
【０００１】
本発明は、注出容器、とくに容器の胴壁に装飾となるラベルを取着したクリーム状物注出容器に関するものである。
【背景技術】
【０００２】
容器本体口部に内容物を吸上げるポンプを装着し、容器本体内部に内容物の減少に伴って上昇する摺動底板を備えた注出容器は、従来より知られている（例えば、特許文献１参照）。
【０００３】
上記の特許文献１記載の容器を始め一般の注出容器では、容器本体の胴壁に、転写フィルムなどによる印刷、直接印刷、または印刷を施したシュリンクフィルムなどを取着して、商品表示や、模様などの装飾を施していた。
【特許文献１】実用新案登録第２５３５７５０号公報
【発明の開示】
【発明が解決しようとする課題】
【０００４】
しかしながら、上記の注出容器の装飾では、容器本体の胴壁表面しか装飾面としていないので、装飾面の範囲が狭く、模様も多様なものが得られなかった。
【０００５】
本発明は、上記問題を解決することを課題として、透明な容器本体の胴壁に、表裏両面に装飾されたラベルを取着することにより、容器外部より容器本体の胴壁を通してラベルの裏面を視認することができ、なおかつ、面白みのある装飾性の優れた注出容器を提供することを目的とする。
【課題を解決するための手段】
【０００６】
本発明は、上記の課題を解決するため、注出容器として、容器本体上部に内容物を吸上げるポンプを装着し、容器本体内部に内容物の減少に伴って上昇する摺動底板を備えた注出容器であって、内容物として、不透明なものを収納し、容器本体の胴壁を透明の合成樹脂で形成し、胴壁に、裏面に装飾を施したラベルを取着し、内容物の使用により、容器本体内部の摺動底板を上昇させ、容器外部から容器本体内の摺動底板から下方部のラベルの裏面装飾をポンプの操作による摺動底板の上昇に応じて、下方から徐々に視認できることを特徴とする構成を採用する。
【０００７】
ラベルの取着方法として、ラベルが、容器本体の胴壁にインサート成形で一体化されて取着されていることを特徴とする。
【発明の効果】
【０００８】
本発明の注出容器は、容器本体を透明の合成樹脂により形成し、胴壁に裏面に装飾を施したラベルを取着したので、容器外から内容物の残量を確認することができ、さらに、ラベルの裏面の装飾を、内容物を吸上げるごとに胴壁を通して徐々に見えてくるようにすることができる。
【発明を実施するための最良の形態】
【０００９】
次に、本発明注出容器の実施形態について、図面を参照して説明する。
図１において、Ａは容器本体、Ｂは容器本体Ａにインサート成形により取着されるラベル、Ｃはポンプを容器本体Ａの口部に取着する取付キャップである。
【００１０】
容器本体Ａは、図１に示すように、胴壁１と摺動底板２とからなり、内部に不透明の内容物ｎを収納するようになっている。
胴壁１は、透明の合成樹脂によって形成され、口部と肩部、底部が開放された円筒状の胴筒部３とを具えている。
摺動底板２は、側周にスカート状壁４が設けられ、胴筒部３の内周に摺動自在に嵌挿されるようになっている。
【００１１】
ラベルＢは、転写、印刷等により、説明表示、模様等を施した表面表示部Ｂａと、模様等の装飾を施した裏面装飾Ｂｂとを有しており、容器本体Ａの胴壁１の胴筒部３にインサート成形により貼着される。
【００１２】
取付キャップＣは、容器本体Ａの口部に装着され、ポンプを支持し、容器本体Ａの口部に取着するものであればよい。
【００１３】
ポンプは、その上部に取着したノズルヘッド５を押下げ操作することにより、容器本体Ａより内容物ｎを吸上げるとともに、容器本体Ａ内を負圧とし、摺動底板２を上昇させ、ノズルヘッド５の吐出ノズル６から内容物ｎを吐出するものであればよく、その内部構造として、従来公知の様々なタイプのものが用いられる。
【００１４】
次に、本実施形態の使用態様と作用効果について説明する。
容器の使用にあたっては、ノズルヘッド５を押下げ操作すると、ポンプによって容器本体Ａ内から内容物ｎが吸上げられ、吐出ノズル６から吐出される。
【００１５】
内容物ｎの吸上げに応じて、摺動底板２が上方に摺動され、容器本体Ａ内の摺動底板２の下方には空間が形成される。
【００１６】
本実施形態の注出容器は、容器本体Ａの胴壁１が透明であるので、容器外から内容物ｎの残量を確認することができる。
また、内容物ｎの吸上げ前には、図２に示すように、容器本体Ａの胴壁１は透明であるが内容物ｎが不透明であるため、容器外から容器本体Ａに取着されたラベルＢの裏面装飾Ｂｂを視認することはできないが、内容物ｎを吸上げるごとに容器本体Ａ内で内容物ｎおよび摺動底板２が上昇することにより、図１に示すように、摺動底板２から下方部の裏面装飾Ｂｂを、胴壁１を通して視認することができる。
【００１７】
ラベルＢの裏面装飾Ｂｂの装飾に、キャラクターや物語、４コマ漫画などを描くことで、内容物ｎを吸上げるごとに、キャラクターや物語、４コマ漫画などが徐々に見えてくるようになり楽しむことができる。
【００１８】
上記実施形態では、ラベルＢは容器本体Ａの胴筒部３にインサート成形により取着されるラベルとしたが、ラベルとして、内容物ｎを吸上げるごとに摺動底板２の底部から下方部の裏面装飾Ｂｂを、容器本体Ａの胴壁１を通して視認できるものであればよいので、例えば、ラベルの容器本体への取着方法として、容器本体Ａの成形後、両面印刷したラベルの裏面に透明性の接着剤を塗布して容器本体Ａの胴壁に貼着したものでもよい。
ラベルの容器本体への取着方法は、上記実施形態の取着方法に限定されない。
【産業上の利用可能性】
【００１９】
本発明は、容器本体の胴壁を透明の合成樹脂により形成したことで、容器外から内容物の残量を確認することができ、化粧品、薬品、その他の容器として広く利用できる。
【００２０】
さらに、両面印刷したラベルを取着し、内容物を吸上げるごとにラベルの裏面の装飾が容器本体の胴壁を通して徐々に見えてくるようにすることができるので、容器としての表示効果や、商品としてのプレミアム性を高めることができる。
また、ラベルの裏面に、くじや、占いなどの模様を施すことで、商品の販売促進に役立てることもできる。
【図面の簡単な説明】
【００２１】
【図１】本実施形態容器の説明図である。
【図２】本実施形態容器の内容物使用前の説明図である。
【符号の説明】
【００２２】
Ａ          容器本体
Ｂ          ラベル
Ｂａ        表面表示部
Ｂｂ        裏面装飾
Ｃ          取付キャップ
ｎ          内容物
１          胴壁
２          摺動底板
３          胴筒部
４          スカート状壁
５          ノズルヘッド
６          吐出ノズル
【図１】
0005120824.tif 000002
【図２】
0005120824.tif 000003